【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
成形材料を供給するための押出機と、金型内への射出前に前記成形材料を保持しておくための内室と、前記成形材料を前記内室の外に移動させるための、前記内室内部にあるプランジャと、逆止弁と、を備えた、成形材料を金型内に射出する装置において、
前記逆止弁は、前記成形材料が、前記押出機から前記内室へ流れることと、前記内室から隣接する金型へ流れること、とを可能にする別個の手段を有していることを特徴とする装置。
【請求項２】
前記逆止弁はブロック形状をしており、半径方向の断面形状が、円形、楕円形、三角形および多角形の群から選択される、請求項１に記載の装置。
【請求項３】
前記逆止弁は、前記逆止弁を射出位置から再充填位置に移動させるために、前記逆止弁の中心線に沿って軸方向に移動する、請求項１に記載の装置。
【手続補正２】
【補正対象書類名】明細書
【補正対象項目名】０００６
【補正方法】変更
【補正の内容】
【０００６】
【課題を解決するための手段】
射出成形装置は、成形材料を供給するための押出機と、金型内への射出前に成形材料を保持しておくための内室と、成形材料を内室の外に移動させるための、内室内部にあるプランジャと、逆止弁とを備えている。逆止弁は、成形材料が、押出機から内室へ流れることと、内室から隣接する金型へ流れること、とを可能にする別個の手段を有している。
【手続補正３】
【補正対象書類名】明細書
【補正対象項目名】０００７
【補正方法】変更
【補正の内容】
【０００７】
逆止弁は、内室から射出ノズルへの流れを許す射出出口開口と、押出機から内室への流れを許す移送円筒部とを有する。射出出口開口と移送円筒部とは互いに離れている。
【手続補正４】
【補正対象書類名】明細書
【補正対象項目名】０００８
【補正方法】変更
【補正の内容】
【０００８】
再充填位置から射出位置への逆止弁の移動は、液圧シリンダによって作動される。逆止弁は、弁を射出位置から再充填位置に移動させるために、逆止弁の中心線に沿って軸方向に移動する。
【手続補正５】
【補正対象書類名】明細書
【補正対象項目名】０００９
【補正方法】変更
【補正の内容】
【０００９】
【発明の実施の形態】
本発明の射出装置１０が図１、２、４に示されている。射出装置１０はプランジャ１４を備えた、押出機１６によって成形材料の一回の充填量が供給される内室１２を有する。内室１２が材料で充填されると、プランジャ１４が作動して、材料を隣接する金型（不図示）に充填する。場所を節約するために内室１２と押出機１６とは互いに隣接しており、押出機１６は押出機の吐出口１８と内室開口２０との距離を小さくするために内室１２に対して僅かな角度で傾斜している。
【手続補正６】
【補正対象書類名】明細書
【補正対象項目名】００１０
【補正方法】変更
【補正の内容】
【００１０】
押出機１６はバレル２２を備え、バレル２２の中には１つの押出スクリューが配置されている。細長い成形材料をバレル２２の中に供給するための開口（不図示）が押出用のバレル２２に設けられている。成形材料はゴムであることが望ましい。押出スクリュー２４は往復動モータ２６によって駆動される。成形材料の素練りによってバレル２２の中に熱が発生するので、冷却媒体がバレル２２の周りの冷却媒体流動領域２８の中を流れるようになっている。断熱ジャケット３０によって望ましい温度に保持され、バレル２２の周りに配置された熱電対によって計測される。
【手続補正７】
【補正対象書類名】明細書
【補正対象項目名】００１２
【補正方法】変更
【補正の内容】
【００１２】
押出機１６と内室１２との接続、および内室１２とノズル３４との接続は逆止弁４０によって行われている。逆止弁４０は、図３に示すようなブロックの形態となっている。逆止弁４０は、射出出口開口４２と移送円筒部４４とを有している。射出出口開口４２は、材料が内室１２からノズル３４へ流動することを可能とし、移送円筒部４４は、材料が押出機１６から内室１２へ流動することを可能とする。
【手続補正８】
【補正対象書類名】明細書
【補正対象項目名】００１４
【補正方法】変更
【補正の内容】
【００１４】
射出出口開口４２と離れて、移送円筒部４４がある。移送円筒部４４は、射出装置１０が成形材料で再充填されたとき、押出機１６と内室１２とを接続させ、材料が押出機１６から内室１２へ流動することを可能とする。移送円筒部４４は、流入口４８と流出口５０とを有する。使用のために整列したとき、流入口４８は押出機１６と連通し、流出口５０は内室１２と連通する。図示した移送円筒部４４には２箇所の湾曲部５２がある。材料を流動させる目的で、移送円筒部４４のいずれの湾曲部５２も、湾曲部内部での材料の堆積やデッドゾーンの発生を減少させるように構成されることが望ましい。
【手続補正９】
【補正対象書類名】明細書
【補正対象項目名】００１５
【補正方法】変更
【補正の内容】
【００１５】
逆止弁４０の下位には、逆止弁４０を射出位置と再充填位置との間で移動させるための液圧シリンダ５４が設けられている。液圧シリンダ５４は、シリンダ５４がどの位置にあるか、それによって逆止弁４０がどの位置にあるかを示す位置センサを有している。逆止弁４０は、図１に示すように射出出口開口４２がノズル３４と内室１２と一列になっているときは射出位置にある。逆止弁４０は、図２に示すように移送円筒部４４が材料の押出機１６から内室１２への流れを可能にするとき再充填位置にある。
【手続補正１０】
【補正対象書類名】明細書
【補正対象項目名】００１６
【補正方法】変更
【補正の内容】
【００１６】
上述のように、逆止弁４０はブロックの形状をしている。その形状は、全体が円形であっても、四角形であっても、三角形であっても、多角形の形状であってもよい。逆止弁４０が非円形のブロック形状をしていると、装置内部における逆止弁４０の不測のあるいは二次的な半径方向の回転を減少させ、射出出口開口４２と移送円筒部４４との位置ずれの可能性を減少させる。
【手続補正１１】
【補正対象書類名】明細書
【補正対象項目名】００１７
【補正方法】変更
【補正の内容】
【００１７】
移送円筒部４４の主要部分、およびそれと協働する液圧シリンダ５４の部分は、逆止弁４０内で中心がずれているように図示されている。移送円筒部４４が軸方向にずれていることで、逆止弁４０の回転が不可能となり、逆止弁４０の位置ずれが防止される。もし、逆止弁４０の形状が非円形であると、移送円筒部４４はブロックの中心軸に沿って配置することもでき、逆止弁４０の回転は逆止弁の形状により不可能となる。逆止弁４０の半径方向の回転を防止する他の方法も、これに加えて、あるいはこの独自の方法の代わりに用いることができる。
【手続補正１２】
【補正対象書類名】明細書
【補正対象項目名】００１８
【補正方法】変更
【補正の内容】
【００１８】
この装置は次のような方法で動作される。液圧シリンダ５４が、移送円筒部４４を図２に示す再充填位置に移動するように作動する。成形材料が押出スクリュー２４の中に供給されている。材料はスクリュー２４によって素練りされて調整される。材料がスクリュー２４から移送円筒部４４の中に、そして次に内室１２の中に流動する。材料が内室１２の中へ流れ込むと、プランジャ１４が、内室１２の中の容積が金型の中に射出されるべきゴムの容積とほぼ同じになる位置まで、材料によって押し戻される。
【手続補正１３】
【補正対象書類名】明細書
【補正対象項目名】００２１
【補正方法】変更
【補正の内容】
【００２１】
逆止弁４０を、材料を金型内部に射出するためと、内室１２に再充填するための２つの異なった機構４２、４４で構成することによって、射出装置１０が再充填されている間、材料はノズル３４から外へ流れ出すことはできず、成形の間、余分の材料がスクリユー２４からノズル３４の中に流れ込むことはできない。再充填の間、材料が射出装置から外部に流れ出すことがないので、射出装置１０を「迅速に」再充填することができる。すなわち、射出装置１０が次の金型へ移動中でも、または新しい金型が充填のために射出装置に隣接して配置される間にも、射出装置１０に再充填することができる。
【手続補正１４】
【補正対象書類名】明細書
【補正対象項目名】符号の説明
【補正方法】変更
【補正の内容】
【符号の説明】
１０    射出装置
１２    内室
１４    プランジャ
１６    押出機
１８    吐出口
２０    内室開口
２２    バレル
２４    押出スクリュー
２６    往復動モータ
２８    冷却媒体流動流域
３０    断熱ジャケット
３２    筐体
３４    ノズル
３６    冷却ジャケット
４０    逆止弁
４２    射出口開口
４４    移送円筒部
４６    ノズルチューブ
４８    流入口
５０    流出口
５２    湾曲部
５４    液圧シリンダ